(57)【特許請求の範囲】
【請求項１】
長手方向に相対移動可能な第１および第２足場板構成部材(2)(3)と、第１足場板構成部材(2)に対して第２足場板構成部材(3)を長手方向に移動させる送り装置(4)と、第１足場板構成部材(2)に対する第２足場板構成部材(3)の長手方向移動を使用時に阻止し伸縮作業時に許容するロック装置(5)とからなり、送り装置(4)は、第１足場板構成部材(2)の一方の側壁の外面に設けられかつ長手方向にのびるラック(13)(53)と、第２足場板構成部材(3)の側壁の長手方向所要位置に設けられてラック(13)(53)に噛み合う少なくとも１つのピニオン(17)(19)(57)(59)とを有している伸縮足場板において、ピニオン(57)(59)が長手方向に並んで１対設けられるとともに、一方のピニオン(59)は、長手方向に移動可能なスライド部材(60)に支持されており、ロック装置(5)は、スライド部材(60)を両ピニオン(57)(59)が噛み合うロック位置と噛み合いが解除されるロック解除位置とに移動させる操作部材(61)と、操作部材(61)をロック位置およびロック解除位置においてそれぞれ保持する保持部材(62)と、操作部材(61)をロック位置方向に付勢している付勢部材(63)とを備えていることを特徴とする伸縮足場板。
【発明の詳細な説明】
【０００１】
【発明の属する技術分野】
この発明は、伸縮自在でかつ所要の長さとなったときにロック可能な伸縮足場板に関する。
【０００２】
【従来の技術】
この伸縮足場板は、単独で仮設足場などで使用されたり、両端部に脚が設けられて台馬として使用されたりするもので、長手方向に相対移動可能な第１および第２足場板構成部材と、第１足場板構成部材の第２足場板構成部材に対する長手方向移動を使用時に阻止し伸縮作業時に許容するロック装置とからなるものが、従来より知られている。この種の伸縮足場板では、伸縮作業は、いずれか一方の構成部材を他方の構成部材に対して両者間のすべり摩擦に抗してスライドさせることにより行われていた。
【０００３】
【発明が解決しようとする課題】
上記従来の伸縮足場板では、両構成部材間のすべり摩擦が製品間のばらつきによって大きくなり、スライドさせにくいという問題や、両構成部材間のすべり摩擦が使用とともに新品時に比べて大きくなり、伸縮作業が困難になるという問題があった。
【０００４】
この発明の目的は、伸縮作業が容易でかつ時間が経過してもその容易さが失われない伸縮足場板を提供することにある。
【０００５】
【課題を解決するための手段および発明の効果】
この発明による伸縮足場板は、長手方向に相対移動可能な第１および第２足場板構成部材と、第１足場板構成部材に対して第２足場板構成部材を長手方向に移動させる送り装置と、第１足場板構成部材に対する第２足場板構成部材の長手方向移動を使用時に阻止し伸縮作業時に許容するロック装置とからなり、送り装置は、第１足場板構成部材の一方の側壁の外面に設けられかつ長手方向にのびるラックと、第２足場板構成部材の側壁の長手方向所要位置に設けられてラックに噛み合う少なくとも１つのピニオンとを有している伸縮足場板において、ピニオンが長手方向に並んで１対設けられるとともに、一方のピニオンは、長手方向に移動可能なスライド部材に支持されており、ロック装置は、スライド部材を両ピニオンが噛み合うロック位置と噛み合いが解除されるロック解除位置とに移動させる操作部材と、操作部材をロック位置およびロック解除位置においてそれぞれ保持する保持部材と、操作部材をロック位置方向に付勢している付勢部材とを備えていることを特徴とするものである。
【０００６】
この発明による伸縮足場板は、仮設足場などで使用されるほか、伸縮足場板の前後両端部に折り畳み可能な伸縮脚を設けることにより、台馬と称される作業台として使用されることもある。
【０００７】
各足場板構成部材は、１つの形材の幅分の間隔をおいて複数並べられた並列状形材と、並列状形材の一端部に設けられたカバーと、並列状形材の他端部に設けられた枠部材とからなり、２つの足場板構成部材が、一方の足場構成部材の形材と他方の足場構成部材の形材とが若干の間隙をおいて対向した状態で、互いに長手方向に移動可能とされていることがあり、また、各足場板構成部材は、いずれも下向きに開口した横断面コ字状の押出形材でかつ大きさが違えられることにより一方が他方に移動可能に嵌め入れられているものでもよい。足場板構成部材の側壁は、前者の場合には、最外にある形材の外側の垂直壁をいい、後者の場合には、形材の外側の垂直壁をいうものとする。
【０００８】
この発明の伸縮足場板によると、いずれか一方の足場板構成部材を長手方向に移動させると、ピニオンが回転しながらラックに沿って前進・後退するので、伸縮作業に必要な力は、ラックとピニオン間の転がり摩擦に抗する力でよく、伸縮作業が容易に行え、しかも、両構成部材間の摩擦が使用とともに変化しにくく、伸縮作業が困難になるという問題が起こりにくい。また、ラックおよびピニオンの１ピッチずつ伸縮足場板の長さを変更することができるので、容易にかつ微調整可能に長さを調整することができる。
【００１０】
【発明の実施の形態】
この発明の実施の形態を、以下図面を参照して説明する。以下の説明において、図２の左および図３の下を後、図２の右および図３の上を前といい、図２の上下を上下というものとする。
【００１１】
図１に概略構成を図２から図５までに要部の詳細構成を示すように、この発明による伸縮足場板(1)の第１実施形態は、長手方向（左右方向）に相対移動可能な第１および第２足場板構成部材(2)(3)と、第１足場板構成部材(2)に対して第２足場板構成部材(3)を長手方向に移動させる送り装置(4)と、第１足場板構成部材(2)に対する第２足場板構成部材(3)の長手方向移動を使用時に阻止し伸縮作業時に許容するロック装置(5)とからなる。
【００１２】
第１足場板構成部材(2)は、１つの形材(6)の幅分の間隔をおいて前後に複数列並べられた並列状形材(6)(6A)と、並列状形材(6)(6A)の左端部に設けられた形材結合用兼端部閉鎖用カバー(7)と、並列状形材の右端部に設けられた形材結合用兼案内用枠部材(8)とからなり、第２足場板構成部材(3)は、１つの形材(9)の幅分の間隔をおいて前後に複数列並べられた並列状形材(9)(9A)と、並列状形材(9)(9A)の右端部に設けられた形材結合用兼端部閉鎖用カバー(10)と、並列状形材(9)の左端部に設けられた形材結合用兼案内用枠部材(11)とからなる。
【００１３】
各形材(6)(6A)(9)(9A)は、カバー(7)(10)および枠部材(8)(11)にそれぞれその端部を固定されている。第１足場板構成部材(2)の枠部材(8)は、第１足場板構成部材(2)の後縁部に配置された形材(6A)との間に第２足場板構成部材(3)の後縁部に配置された形材(9A)が通過できる間隔をあけるように形成されており、第２足場板構成部材(3)の枠部材(11)は、第２足場板構成部材(3)の前縁部に配置された形材(9)との間に第１足場板構成部材(2)の前縁部に配置された形材(6)が通過できる間隔をあけるように形成されている。これにより、２つの足場板構成部材(2)(3)は、一方の足場構成部材(2)の形材(6)(6A)と他方の足場構成部材(3)の形材(9)(9A)とが若干の間隙をおいて対向した状態で、これらの対向面および枠部材(8)(11)の内面を案内面とし、互いに長手方向に移動可能とされている。
【００１４】
各形材(6)(6A)(9)(9A)は、アルミニウム合金製の押出形材であり、第１足場板構成部材(2)の後縁部に配置されている形材(6A)以外の全ての形材(6)(9)(9A)は、断面が方形の中空状とされている。第２足場板構成部材(3)の後縁部に配置されている形材(9A)の前後壁の左端部には、方形の貫通孔(12)が設けられている。第１足場板構成部材(2)の後縁部に配置されている形材(6A)の後壁は、上下の中間部が凹の形状とされており、この凹部(6b)の底面に、長手方向にのびるラック(13)が形材(6A)の後壁よりも前方に位置するようにかつ形材(6A)の全長にわたって設けられている。
【００１５】
送り装置(4)は、第１足場板構成部材(2)に設けられたラック(13)と、第２足場板構成部材(3)に設けられた上側ピニオン支持部材(14)および下側ピニオン支持部材(15)と、両支持部材(14)(15)間に左右方向に所定間隔をおいて設けられた第１および第２のピニオン軸(16)(18)と、各ピニオン軸(16)(18)に設けられかつラック(13)と噛み合わされている第１および第２のピニオン(17)(19)とを備えている。
【００１６】
ロック装置(5)は、第２足場板構成部材(3)に回動自在に設けられかつロック位置において第１および第２ピニオン(17)(19)に係合しロック解除位置においてその係合が解除されるロック部材(20)と、ロック部材(20)をロック位置およびロック解除位置においてそれぞれ保持する保持部材(21)と、保持部材(21)をロック部材(20)との係合方向に付勢している付勢部材としての圧縮コイルばね(22)と、圧縮コイルばね(22)を保持部材(21)との間で保持するばね受け部材(23)とを備えている。
【００１７】
上側ピニオン支持部材(14)は、水平部(14a)および水平部(14a)の後縁より上方にのびる垂直部(14b)からなり、下側ピニオン支持部材(15)は、水平部(15a)および水平部(15a)の後縁より下方にのびる垂直部(15b)からなる。各垂直部(15b)は、水平部よりも左右に張り出した張り出し部(15c)を有している。上下ピニオン支持部材(14)(15)は、各水平部(14a)(15a)が第２足場板構成部材(3)の後縁部に配置されている形材(9A)の中空部にその前端部を前方に突出させて納められかつ各垂直部(14b)(15b)が同形材(9A)の後壁に当接された状態で、垂直部(14b)(15b)の左右張り出し部(14c)(15c)を貫通するねじ(24)が形材(9A)の後壁の貫通孔(12)の縁部４カ所に設けられためねじ(25)にねじ込まれることによって形材(9A)に固定されている。
【００１８】
第１ピニオン軸(16)および第２ピニオン軸(18)は、上下ピニオン支持部材(14)(15)の水平部(14a)(15a)の前部に、その中央のやや左寄りおよび中央のやや右寄りをそれぞれ貫通した状態で固定されている。上下ピニオン支持部材(14)(15)の水平部(14a)(15a)の前部には、さらに、その左端部を貫通した状態でロック部材保持軸(26)が固定されている。また、上下ピニオン支持部材(14)(15)の水平部(14a)(15a)の左端部の中程には、これを貫通した状態でロック部材規制軸(27)が固定され、同右端部近くの中程には、これを貫通した状態で保持部材支持軸(28)が固定されている。さらに、上下ピニオン支持部材(14)(15)の水平部(14a)(15a)の左端部の保持部材支持軸(28)よりも右後方には、ばね受け部材(23)を固定するボルト(29)が貫通させられている。
【００１９】
ロック部材(20)は、左右方向にのびその前面に両ピニオン(17)(19)に対向する複数の係合歯(32)が設けられている本体部(31)と、本体部(31)の左端部から前方にのびかつロック部材保持軸(26)に嵌り合っている貫通孔を有する回動中心部(33)と、本体部(31)の後面に設けられている取っ手部(34)とを有している。本体部(31)の左端部と回動中心部(33)の後端部との境界部には、ロック部材(20)を回動させた際にロック部材規制軸(27)と接触してロック部材(20)のがたつきを防止する凹面部(35)が設けられている。また、本体部(31)の右端部は丸く（平面から見て半円状に）形成されている。
【００２０】
保持部材(21)は、所定形状のブロック状とされており、ブロックの左面には、ロック部材(20)の本体右端部に対向する計４つの半円弧状凹面からなる係合面(36)が形成され、ブロックの前縁部に、保持部材支持軸(28)に嵌り合う貫通孔を有する回動中心部(37)が設けられている。また、ブロックの右面には、圧縮コイルばね(22)の左端部を受け止める凹所(38)が形成され、ブロックの後縁部に、凹凸状の取っ手部(39)が形成されている。
【００２１】
ばね受け部材(23)は、内周にめねじが形成された角筒状に形成されており、このめねじにねじ合わされたボルト(29)の先端にナット(40)がねじ合わされることにより、上下ピニオン支持部材(14)(15)に固定されている。
【００２２】
この第１実施形態の伸縮足場板(1)によると、図３に示すロック状態においては、ロック部材(20)の係合歯(32)が第１および第２ピニオン(17)(19)の両方に係合するとともに、ロック部材(20)の右端部が保持部材(21)の係合面(36)の一番前方にある凹面と係合しており、ロック部材(20)の回動が阻止されて、足場板構成部材(2)(3)の伸びる方向および縮む方向の両方向への動きが阻止されている。この状態で、保持部材(21)を右方に回動させ、ロック部材(20)の取っ手部(34)を持ってこれを引っ張ると、ロック部材(20)が左方に回動し、図４に示すロック解除状態に移行することができる。保持部材(21)の係合面(36)の半円弧状凹面の底は、ロック部材保持軸(26)の軸線を中心とする円周上に配置されており、また、圧縮コイルばね(22)の付勢方向は、この円周面に対して下向き接線方向成分を有するようになされている。そして、図４に示すロック解除状態においては、ロック部材(20)は、その凹面部(35)の底がロック部材規制軸(27)に嵌り合い、それ以上の回動が阻止されるとともに、その右端部が、保持部材(21)の係合面(36)の一番後方にある凹面と係合し、ロック解除位置に保持される。これにより、第１および第２ピニオン(17)(19)は、ラック(13)とだけ噛み合った状態となり、ピニオン(17)(19)が回転しながらラック(13)に沿って移動することにより、足場板構成部材(2)(3)の伸びる方向および縮む方向の両方向への移動がスムーズに行われる。所定の長さに伸縮足場板(1)を設定した後、ロック部材(20)の本体部(31)を押すことにより、図３のロック状態に復帰させることができる。
【００２３】
図６から図９までは、第２実施形態の伸縮足場板(50)の要部を示している。以下の説明において第１実施形態と同じ構成には同じ符号を付して説明を省略する。なお、図６の左および図７の下を後、図６の右および図７の上を前といい、図６の上下を上下というものとする。
【００２４】
送り装置(51)は、第１足場板構成部材(2)の後縁部に配置されている形材(6A)に設けられた凹部(6b)の底面に全長にわたって設けられたラック(53)と、第２足場板構成部材(3)に設けられた上側ピニオン支持部材(54)および下側ピニオン支持部材(55)と、両支持部材間(54)(55)に左右方向に所定間隔をおいて設けられた第１のピニオン軸(56)と、第１のピニオン軸(56)に設けられた第１のピニオン(57)と、両支持部材(54)(55)間に左右方向移動可能に設けられたスライド部材(60)に支持された第２のピニオン軸(58)と、第２のピニオン軸(58)に設けられた第２のピニオン(59)とを備えている。
【００２５】
ロック装置(52)は、第２のピニオン(59)を左右方向移動可能に支持するスライド部材(60)と、スライド部材(60)を第１および第２ピニオン(56)(58)が噛み合うロック位置と噛み合いが解除されるロック解除位置とに移動させる操作部材(61)と、操作部材(61)をロック位置およびロック解除位置においてそれぞれ保持する保持部材(62)と、操作部材(61)をロック位置方向に付勢している付勢部材としての圧縮コイルばね(63)とを備えている。
【００２６】
上側ピニオン支持部材(54)は、水平部(54a)および水平部(54a)の後縁より上方にのびる垂直部(54b)からなり、水平部(54a)の左端部には、第１のピニオン軸(56)の上端部を支持する前方突出部(54c)が設けられている。前方突出部(54c)には、第１のピニオン軸(56)の上部が挿通されている円形の貫通孔(64)が設けられている。水平部(54a)の左端部を除く部分には、左右方向にのびるスライド部材案内用案内溝(65)が設けられている。
【００２７】
同様に、下側ピニオン支持部材(55)は、水平部(55a)および水平部(55a)の後縁より下方にのびる垂直部(55b)からなり、水平部(55a)の左端部には、第１のピニオン軸(56)の下端部を支持する前方突出部(55c)が設けられている。前方突出部(55c)には、第１のピニオン軸(56)の下部が挿通されている円形の貫通孔(64)が設けられている。水平部(55a)の左端部を除く部分には、左右方向にのびるスライド部材案内用案内溝(65)が設けられている。下側ピニオン支持部材(55)の水平部(55a)の右端部には、ばね受け止め用上方突出部(66)が設けられている。
【００２８】
上下ピニオン支持部材(54)(55)は、各水平部(54a)(55a)が第２足場板構成部材(3)の後縁部に配置されている形材(9A)の中空部にその前端部を前方に突出させて納められかつ各垂直部(54b)(55b)が同形材(9A)の後壁に当接された状態で、両水平部(54a)(55a)の左端部を貫通するボルト(67)とこれにねじ合わされたナット(68)とによって結合されている。ボルト(67)の中心軸は、操作部材(61)の軸部(61a)の前縁の延長線上に位置させられており、これにより、ボルト(67)は、操作部材(61)を左方に移動させた際のストッパの機能を付与されている。
【００２９】
第１のピニオン軸(56)は、頭付きのリベットピン状に形成されており、上下ピニオン支持部材(54)(55)の前方突出部(54c)(55c)の貫通孔(64)に下から挿通されその上下端部にＥリング(69)が嵌められることにより、回転可能にかつ若干移動可能なように上下ピニオン支持部材(54)(55)に支持されている。
【００３０】
スライド部材(60)は、上下水平壁および後壁からなる。上下水平壁には、上下ピニオン支持部材(54)(55)のスライド部材案内用案内溝(65)にそれぞれ移動可能に嵌め入れられている突起(71)および上下ピニオン支持部材(54)(55)の水平部(54a)(55a)前縁部にそれぞれ若干の間隙をおいて対向して左右方向にのびる凸部(72)が設けられている。また、後壁には、左右にのびる円筒部(73)が形成されている。
【００３１】
第２のピニオン軸(58)は、頭付きのリベットピン状に形成されており、スライド部材(60)の上下水平壁を貫通し、その上下端部にＥリング(74)が嵌められることにより、回転可能にスライド部材(60)に支持されている。
【００３２】
操作部材(61)は、左右方向にのびる軸部(61a)と、軸部(61a)に直交する取っ手部(61b)とを有している。取っ手部(61b)は、軸部(61a)とは別体に形成されて、Ｅリング(75)によって相対的に回動可能にかつ左右方向には移動不可能なように、軸部(61a)に結合されている。軸部(61a)の左寄りの部分は、スライド部材(60)後壁の円筒部(73)に移動可能に嵌め入れられており、嵌め入れ部分の両側に設けられたＥリング(75)によってスライド部材(60)からの抜けが防止されている。軸部(61a)の右端部は、下側ピニオン支持部材(55)のばね受け止め用上方突出部(66)に設けられた貫通孔に移動可能に挿通されている。
【００３３】
保持部材(62)は、貫通状に設けられて操作部材(61)の取っ手部(61b)が移動可能に嵌め入れられているＵ字状案内溝(76)を有している。Ｕ字状案内溝(76)の水平部(76a)は、操作部材(61)を水平方向に移動させる際に取っ手部(61b)が移動する部分で、水平部(76a)の右縁部から立ち上がっている右垂直部(76b)は、ロック解除状態にある取っ手部(61b)を納めておく部分で、水平部(76a)の左縁部から立ち上がっている左垂直部(76c)は、ロック状態にある取っ手部(61b)を納めておく部分である。右垂直部(76b)および左垂直部(76c)の上端部には、操作部材(61)が圧縮コイルばね(63)で付勢された際にその取っ手部(61b)が納まるポケット状の左方突出縁部が設けられている。保持部材(62)は、保持部材の四隅を貫通するねじ(24)が形材(9A)の後壁の貫通孔(12)の縁部４カ所に設けられためねじ(25)にねじ込まれることによって形材(9A)に固定されている。これにより、形材(9A)の貫通孔(12)が覆われるとともに、上下ピニオン支持部材(54)(55)が形材(9A)の後壁に固定されている。
【００３４】
圧縮コイルばね(63)は、操作部材(61)の軸部(61a)の右寄り部分に嵌められて、下側ピニオン支持部材(55)のばね受け止め用上方突出部(66)とスライド部材(60)の円筒部(73)とによって受け止められている。
【００３５】
この第２実施形態の伸縮足場板(50)によると、図７に示すロック状態においては、第１ピニオン(57)と第２ピニオン(59)とが噛み合うとともに、第２ピニオン(59)を支持しているスライド部材(60)の左右方向への移動が、操作部材(61)の取っ手部(61b)が保持部材(62)の案内溝(76)の左垂直部(76c)に嵌り合うことにより阻止されており、両ピニオン(57)(59)の回転が不可能となっており、足場板構成部材(2)(3)の伸びる方向および縮む方向の両方向への動きが阻止されている。この状態で、操作部材(61)の取っ手部(61b)を保持部材(62)の案内溝(76)に沿ってその右垂直部(76b)に移動させると、図４に示すロック解除状態に移行することができる。そして、図４に示すロック解除状態においては、第１ピニオン(57)だけでなく第２ピニオン(59)も回転しながらラック(53)に沿って移動することが可能であり、足場板構成部材(2)(3)の伸びる方向および縮む方向の両方向への移動がスムーズに行われる。また、第１のピニオン軸(56)が若干移動可能とされているため、両ピニオン(57)(59)の噛み合いまたは噛み合い解除もスムーズに行われる。所定の長さに伸縮足場板(1)を設定した後、操作部材(61)の取っ手部(61b)を保持部材(62)の案内溝(76)に沿ってその左垂直部(76c)に移動させることにより、図７のロック状態に容易に復帰させることができる。
【図面の簡単な説明】
【図１】この発明による伸縮足場板をを概略的に示す斜視図である。
【図２】第１実施形態の伸縮足場板の要部の垂直断面図である。
【図３】同水平断面図であり、ロック状態を示している。
【図４】同水平断面図であり、ロック解除状態を示している。
【図５】第１実施形態の伸縮足場板の要部の分解斜視図である。
【図６】第２実施形態の伸縮足場板の要部の垂直断面図である。
【図７】同水平断面図であり、ロック状態を示している。
【図８】同水平断面図であり、ロック解除状態を示している。
【図９】第２実施形態の伸縮足場板の要部の分解斜視図である。
【符号の説明】
(1)     伸縮足場板
(2)     第１足場板構成部材
(3)     第２足場板構成部材
(4)     送り装置
(5)     ロック装置
(13)    ラック
(17)    第１ピニオン
(19)    第２ピニオン
(20)    ロック部材
(21)    保持部材
(22)    圧縮コイルばね（付勢部材）
(50)    伸縮足場板
(51)    送り装置
(52)    ロック装置
(53)    ラック
(57)    第１ピニオン
(59)    第２ピニオン
(60)    スライド部材
(61)    操作部材
(62)    保持部材
(63)    圧縮コイルばね（付勢部材）
【図１】
0004000416.tif 000002
【図２】
0004000416.tif 000003
【図３】
0004000416.tif 000004
【図４】
0004000416.tif 000005
【図５】
0004000416.tif 000006
【図６】
0004000416.tif 000007
【図７】
0004000416.tif 000008
【図８】
0004000416.tif 000009
【図９】
0004000416.tif 000010